(57)【要約】【課題】大型のアクチュエータを搭載できるコンパクトな光ピックアップ装置を提供する。【解決手段】対物レンズＯＢＪの光軸方向に見たときに、アクチュエータＡＣＴのホルダ５の一部が、ベース１の段差部１ｅと重合する位置に配置されているので、厚さ方向（図１で上下方向）における光ピックアップ装置ＰＵの寸法を抑えつつ、メインレールＭＲとサブレールＳＲとに挟まれたアクチュエータＡＣＴの寸法（図９で上下方向）を小さく抑えることができる。【選択図】図３
2007200488.tif 000002
【特許請求の範囲】
【請求項１】
光源からの光束を光学系を介して対物レンズに入射させ、前記対物レンズから光情報記録媒体の情報記録面に集光することによって情報の記録及び／又は再生を行う光ピックアップ装置において、
前記光学系を搭載したキャリヤに対して、前記対物レンズを少なくとも光軸方向に駆動するアクチュエータと、
前記アクチュエータを、前記キャリヤに取り付けるベースとを有し、
前記ベースは、前記キャリヤに当接する段差部を形成しており、
前記対物レンズの光軸方向に見たときに、前記アクチュエータの少なくとも一部が、前記段差部と重合する位置に配置されていることを特徴とする光ピックアップ装置。
【請求項２】
前記ベースと前記キャリヤのうち一方には、凸部が形成され、その他方には、前記凸部に係合する凹部が形成されていることを特徴とする請求項１に記載の光ピックアップ装置。
【請求項３】
前記ベースには、位置調整用治具が係合する凹部が形成されていることを特徴とする請求項１に記載の光ピックアップ装置。
【請求項４】
前記べースには、対物レンズを保持するホルダ側の面に、凹部が形成されていることを特徴とする１〜３のいずれかに記載の光ピックアップ装置。
【請求項５】
前記ベースは、前記アクチュエータにおける磁気回路のヨークの一部を構成することを特徴とする請求項１〜４のいずれかに記載の光ピックアップ装置。
【発明の詳細な説明】
【技術分野】
【０００１】
本発明は、光ピックアップ装置に関し、特に薄形であって光情報記録媒体に対して適切に情報の記録及び／又は再生を行える光ピックアップ装置に関する。
【背景技術】
【０００２】
近年、波長４００ｎｍ程度の青紫色半導体レーザを用いて、情報の記録／再生を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（ＢＤ）では、ＤＶＤ（ＮＡ０．６、光源波長６５０ｎｍ、記憶容量４、７ＧＢ）と同じ大きさである直径１２ｃｍの光ディスクに対して、１面あたり２０〜３０ＧＢの情報の記録が可能であり、又、ＮＡ０．６５、光源波長４０５ｎｍの仕様で情報記録／再生を行う光ディスク、いわゆるＨＤ ＤＶＤでは、直径１２ｃｍの光ディスクに対して、１面あたり１５〜２０ＧＢの情報の記録が可能である。以下、本明細書では、このような光ディスクを「高密度ＤＶＤ」と呼ぶ。
【０００３】
ところで、このような高密度ＤＶＤに対して適切に情報を記録／再生できるというだけでは、光ピックアップ装置の製品としての価値は十分なものとはいえない。現在において、多種多様な情報を記録したＤＶＤやＣＤが販売されている現実をふまえると、高密度ＤＶＤに対して適切に情報を記録／再生できるだけでは足らず、例えばユーザーが所有している従来のＤＶＤ或いはＣＤに対しても同様に適切に情報を記録／再生できるようにすることが、互換タイプの光ピックアップ装置として製品の価値を高めることに通じるのである。このような背景から、互換タイプの光ピックアップ装置に用いる光学系は、低コストで簡素な構成を有することは勿論であり、それに加えて高密度ＤＶＤ、従来のＤＶＤ、ＣＤいずれに対しても、適切に情報を記録／再生するために良好なスポットを得ることが望まれている。又、ＤＶＤとＣＤとに対して互換可能に情報の記録及び／又は再生を行える光ピックアップ装置も実用化されているが、現在の構成に対して更なる小型化、薄形化、低コスト化等が望まれている。特に、ノート型パソコンなどにおいては、製品の競争力を高めるべく、それに搭載する光ピックアップ装置の薄形化が切望されているという実情がある。
【０００４】
ここで、例えば高密度ＤＶＤを使用する場合、ＣＤやＤＶＤを使用する場合に比べると、光源の波長が短くなり、また開口数が増大したりすることから、光ディスクと光ピックアップ装置の光軸間の傾きにより生じるコマ収差の影響が大きくなる。このコマ収差を補正するために、対物レンズの光軸を傾ける、いわゆるチルト調整が必要になる場合がある。かかる場合、対物レンズのフォーカシング動作とトラッキング動作に加えて、チルト調整動作をアクチュエータに行わせる必要があり、それによりアクチュエータが大型化する傾向がある。ところが、アクチュエータを大型化すると光ピックアップ装置の薄形化が図れないという問題がある。これに対し、特許文献１においては、大型のアクチュエータを薄い光学基台上に搭載する技術が開示されている。
【特許文献１】特開２０００−２８５４９５号公報
【発明の開示】
【発明が解決しようとする課題】
【０００５】
しかるに、特許文献１の技術によれば、アクチュエータに取り付けたベースに突起部を設け、かかる突起部をアクチュエータの側面中央から水平に延在させて、光学基台の上面で支持することで、大型のアクチュエータの取り付けを行っている。しかしながら、かかる突起部は、アクチュエータより外方に延在していることから、それを支持するスペースを確保しなければならないという問題がある。又、比較的重い大型のアクチュエータを支持するためには、前記突起部の剛性を増大しなければならないが、それにより更に広いスペースを確保しなければならない。
【０００６】
本発明は、かかる問題点に鑑みて成されたものであり、大型のアクチュエータを搭載できるコンパクトな光ピックアップ装置を提供することを目的とする。
【課題を解決するための手段】
【０００７】
請求項１に記載の光ピックアップ装置は、光源からの光束を光学系を介して対物レンズに入射させ、前記対物レンズから光情報記録媒体の情報記録面に集光することによって情報の記録及び／又は再生を行う光ピックアップ装置において、
前記光学系を搭載したキャリヤに対して、前記対物レンズを少なくとも光軸方向に駆動するアクチュエータと、
前記アクチュエータを、前記キャリヤに取り付けるベースとを有し、
前記ベースは、前記キャリヤに当接する段差部を形成しており、
前記対物レンズの光軸方向に見たときに、前記アクチュエータの少なくとも一部が、前記段差部と重合する位置に配置されていることを特徴とする。
【０００８】
本発明の光ピックアップ装置によれば、前記対物レンズの光軸方向に見たときに、前記アクチュエータの少なくとも一部が、前記段差部と重合する位置に配置されているので、前記対物レンズの光軸方向（厚さ方向という）における光ピックアップ装置の寸法を抑えつつ、それに直交する方向の前記ベースの寸法を小さく抑えることができる。そして、前記段差部を、キャリヤ底面付近に設けられたフランジ部に重ねて配置することで、アクチュエータを支持することができる。
【０００９】
請求項２に記載の光ピックアップ装置は、請求項１に記載の発明において、前記ベースと前記キャリヤのうち一方には、凸部が形成され、その他方には、前記凸部に係合する凹部が形成されていることを特徴とするので、前記ベースを前記キャリヤに搭載するのみで前記アクチュエータの位置決めを行える。ここで、凸部と凹部とは、円筒形状、円錐形状、袋孔形状、貫通形状等種々の形をとることができる。
【００１０】
請求項３に記載の光ピックアップ装置は、請求項１に記載の発明において、前記ベースには、位置調整用治具が係合する凹部が形成されていることを特徴とするので、前記位置調整用治具を用いて前記アクチュエータの位置決めを行える。
【００１１】
請求項４に記載の光ピックアップ装置は、請求項１〜３のいずれかに記載の発明において、前記べースには、対物レンズを保持するホルダ側の面に、凹部が形成されていることを特徴とするので、凹部をアクチュエータの導電性の高い箇所近くに設けることにより、アクチュエータとべースの電気的な短絡を防止しつつ、アクチュエータの寸法を小さく抑えながらホルダの駆動範囲を広げることができる。
【００１２】
請求項５に記載の光ピックアップ装置は、請求項１〜４のいずれかに記載の発明において、前記ベースは、前記アクチュエータにおける磁気回路のヨークの一部を構成することを特徴とするので、前記アクチュエータの能力を確保しつつ光ピックアップ装置のコンパクト化を図れる。
【発明の効果】
【００１３】
本発明によれば、大型のアクチュエータを搭載できるコンパクトな光ピックアップ装置を提供することができる。
【発明を実施するための最良の形態】
【００１４】
以下、図面を参照して、本発明をさらに詳細に説明する。図１は、本実施の形態にかかる光ピックアップ装置を上方から見た斜視図である。図２は、本実施の形態にかかる光ピックアップ装置を下方から見た斜視図である。図３は、本実施の形態にかかる光ピックアップ装置の上面図である。図に示すように、保護層の厚さが異なる光情報記録媒体であるＢＤ又はＨＤ ＤＶＤ、ＤＶＤ及びＣＤに対して適切に情報の記録／再生を行える光ピックアップ装置ＰＵにおいて、キャリヤＣＹは、メインレールＭＲに対して係合部ＣＹａ、ＣＹａを介して係合し、且つメインレールＭＲに平行するサブレールＳＲに対して係合部ＣＹｂを介して係合し、不図示のアクチュエータによりメインレールＭＲとサブレールＳＲに沿って移動可能に支持されている。光ピックアップ装置ＰＵは、キャリヤＣＹ上に搭載された、波長λ１の光束を出射できる第１半導体レーザＬＤ１と、波長λ２の光束を出射できる第２半導体レーザ及び波長λ３の光束を出射できる第３半導体レーザとを搭載した２レーザ１パッケージ２Ｌ１Ｐと、光検出器ＰＤと、以下により光学系を構成するカップリングレンズＣＬと、ダイクロイックプリズムＤＰと、偏光ビームスプリッタＰＢＳと、λ／４波長板ＱＷＰと、モニタレンズＭＬと、モニタディテクタＭＤと、レンズＬ１、Ｌ２からなるエキスパンダレンズＥＸＰと、反射光学素子である立ち上げミラーＭと、アクチュエータＡＣＴにより駆動可能に保持された対物レンズＯＢＪと、円筒状の調整部材ＡＭに支持されたサーボレンズＳＬと、プリズムＰＳとを含む。
【００１５】
可動光学素子であるレンズＬ２は、駆動装置（駆動手段ともいう）ＤＲにより、キャリヤＣＹに固定されたレンズＬ１に対して光軸方向に移動される。図４は、駆動装置ＤＲの概略構成図であるが、圧電素子の歪み量は実際より誇張して示している。図４において、電気機械変換素子である圧電素子ＰＺは、固定部ＦＸを介して一端（左端）側をキャリヤＣＹ（図１）に固定しており、他端（右端）には駆動軸（駆動部ともいう）ＤＳを取り付けている。駆動軸ＤＳは、レンズＬ２を保持するホルダ（可動部ともいう）ＥＨに設けられた開口ＥＨａ内に挿通されており、ある程度の摩擦力で接している。
【００１６】
圧電素子ＰＺは、ＰＺＴ(ジルコン・チタン酸鉛)などで形成された圧電セラミックスを積層してなる。圧電セラミックスは、その結晶格子内の正電荷の重心と負電荷の重心とが一致しておらず、それ自体分極していて、その分極方向に電圧を印加すると伸びる性質を有している。しかし、圧電セラミックスのこの方向への歪みは微小であり、この歪み量により被駆動部材を駆動することは困難であるため、図５に示すように、複数の圧電セラミックスＰＥを積み重ねてその間に電極Ｃを並列接続した構造の積層型圧電素子ＰＺが実用可能なものとして提供されている。本実施の形態では、この積層型圧電素子ＰＺを駆動源として用いている。
【００１７】
次に、この駆動装置ＤＲによるレンズＬ２の駆動方法について説明する。一般に、積層型圧電素子ＰＺは、電圧印加時の変位量は小さいが、発生力は大でその応答性も鋭い。したがって、図６（ａ）に示すように立ち上がりがゆっくりで立ち下がりが鋭い略鋸歯状波形のパルス電圧を印加すると、圧電素子ＰＺは、パルスの立ち上がり時にゆっくり伸び、立ち下がり時にそれよりも急激に縮む伸縮パターンとなる。したがって、図４（ａ）に示す状態から、圧電素子ＰＺがゆっくり伸長すると、駆動軸ＤＳの移動と共に、摩擦力で結合されたホルダＥＨも移動するため、ホルダＥＨに保持されたレンズＬ２も光軸方向に移動する（図４（ｂ）参照）。しかし、圧電素子ＰＺが急激に縮むと、ホルダＥＨの慣性により、駆動軸ＤＳとホルダＥＨとの間の摩擦力を超えて両者の相対移動が生じるので、駆動軸ＤＳは移動してもホルダＥＨはその場に留まることとなる（図４（ｃ）参照）。これにより、圧電素子ＰＺに１パルス与えて１ストローク駆動させることにより、ホルダＥＨを距離Δだけ移動させることができる。従って、圧電素子ＰＺをｎストローク駆動させると、距離ｎ×ΔだけレンズＬ１を光軸方向に移動させることができる。尚、以上より明らかであるが、図６（ｂ）に示すように電圧の立ち上がりが急激で、立ち下がりがゆっくりしたパルスを印加すれば、圧電素子ＰＺは逆の伸縮パターンを有するので、これによりホルダＥＨとレンズＬ２を逆の方向へ移動させることができる。このように駆動装置ＤＲは、圧電素子ＰＺを伸び方向と縮み方向とで速度を変えて繰り返し伸縮させることで、レンズＬ２を任意の位置へと駆動できる。
【００１８】
図７は、駆動装置ＤＲの変形例を示す図である。図７の駆動装置ＤＲにおいては、駆動軸ＤＳの一端にキャリヤＣＹを介してレンズＬ１が固定されている。一方、駆動軸ＤＳの他端には、電気機械変換素子である圧電素子ＰＺが固定されている。圧電素子ＰＺは、駆動部である駆動軸ＤＳのみに取り付けられている。レンズＬ２の取り付けられたＬ字状のホルダＥＨには、板ばねＳＰＧが取り付けられ、駆動軸ＤＳの外周をホルダＥＨに向かって付勢している。本実施の形態においても、圧電素子ＰＺに、図６に示すようなパルス状の電圧を印加することで、ホルダＥＨを軸線方向に任意の量だけ移動させることができる。なお、このような駆動装置については、特開２００２−９５２７４号公報、特開２００２−３００７８９号公報、特開２００２−３００７９０号公報、特開２００３−３３０５３号公報等に詳細に開示されている。
【００１９】
図８は、本実施の形態にかかるアクチュエータＡＣＴの斜視図である。上面に凹部（段部）１ｔが形成されてなるヨークを兼ねた板状のベース１は、光ピックアップ装置ＰＵのキャリヤＣＹ（図１）に固定される。ベース１上には、筐体２が固定されている。筐体２の図８で手前側には、ベース基板３が取り付けられている。ベース基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に、ホルダ基板１４を介して半田固定されている。ワイヤ４は、ベース１に対してホルダ５を移動可能に支持する機能と、不図示の配線が接続されるベース基板３から、後述するコイルに対して給電するための機能とを有する。なお、筐体２内には、ワイヤ４のダンピング効果のあるジェル（不図示）が充填されている。
【００２０】
樹脂製のホルダ５は、略五角形の板状を有しており、図８で奥側の円形開口（不図示）内に対物レンズ６を装着している。この対物レンズ６は、光ピックアップ装置において、光ディスクの情報記録面にレーザ光束を集光するために用いられる。又、ホルダ５は、図８で手前側に２つの矩形開口５ａ、５ｂを形成しており、更に矩形開口５ａ、５ｂに隣接してバランサ５ｃを有している。なお、ホルダ５は、対物レンズ６側と、それと反対側との間を、矩形開口５ａの両側に配置された柱部５ｄ、５ｅとで連結し、且つ矩形開口５ｂの両側に配置された柱部５ｅ、５ｆとで連結しているともいえる。かかる構成を有しているので、矩形開口５ａ、５ｂの断面積を比較的大きく確保しても、ホルダ５の剛性を高く確保できる。又、中央の共通する柱部５ｅの中央軸線は、対物レンズ６の光軸（その延長線を含む）と交差していると、ホルダ５の良好なバランスを得ることができる。
【００２１】
矩形開口５ａ内には、ヨーク７Ａ、８Ａにそれぞれ裏打ちされた一対の磁石９Ａ，１０Ａが、磁石間の磁界の向きが矢印Ｄ１に沿うように対向配置されている。磁石９Ａとヨーク７Ａの周囲を巻回するようにして第１コイル群Ｇ１（内側コイル１２Ａと外側コイル１３Ａ）が配置されている。第１コイル群Ｇ１と磁石１０Ａとの間には、第１コイル群Ｇ１と巻軸線が直交するように巻かれたトラッキングコイル１１Ａが配置されている。
【００２２】
一方、矩形開口５ｂ内には、ヨーク７Ｂ、８Ｂにそれぞれ裏打ちされた一対の磁石９Ｂ，１０Ｂが、磁石間の磁界の向きが矢印Ｄ１に沿うように対向配置されている。磁石９Ｂとヨーク７Ｂの周囲を巻回するようにして第２コイル群Ｇ２（内側コイル１２Ｂと外側コイル１３Ｂ）が配置されている。第２コイル群Ｇ２と磁石１０Ｂとの間には、第２コイル群Ｇ２と巻軸線が直交するように巻かれたトラッキングコイル１１Ｂが配置されている。第１コイル群Ｇ１は、その両側を保持する保持体１５Ａを介して矩形開口５ａに取り付けられており、第２コイル群Ｇ２は、その両側を保持する保持体１５Ｂを介して矩形開口５ｂに取り付けられている。
【００２３】
図９は、ベース１を下方から見た斜視図である。図１において、板材から一体的に形成されるベース１は、板状の本体１ａと、本体１ａの両側縁（図９で手前側及び奥側）から突き出し折り曲げられた支持部１ｃ、１ｄと、図９で右方に突き出した段差部１ｅとを有している。なお、段差部１ｅの段差は、ベース１の下面側に存在している。段差部１ｅの近傍において、本体１ａの下面に円柱状の凹部１ｆが形成されている。本体１ａの一部は、上方に向かって折り曲げられることで、ヨーク７Ａ、７Ｂ、８Ａ、８Ｂを構成している。即ち本体１ａは、アクチュエータＡＣＴにおける磁気回路のヨークの一部を構成する。
【００２４】
支持部１ｃ、１ｄは、その下面が、本体１ａの上面より上方に位置するが、段差部１ｅは、その下面が、本体１ａの上面より下方に位置している。
【００２５】
アクチュエータＡＣＴのキャリヤＣＹへの組み付け方法について説明する。アクチュエータＡＣＴのベース１を、キャリヤＣＹに形成されたＴ字状の開口ＣＹｄ（図２，３参照）内に装着する。このとき、開口ＣＹｄの下端から突き出した短いフランジ部ＣＹｅ、ＣＹｆ、ＣＹｇ上に、支持部１ｃ、１ｄ及び段差部１ｅをそれぞれ載置するようにする。なお、支持部１ｃ、１ｄが載置されるフランジ部ＣＹｅ、ＣＹｆの上面に対して、段差部１ｅが載置されるフランジ部ＣＹｇの上面が低くなっているので、ベース１を水平に設置することができる。
【００２６】
更に、段差部１ｅの近傍の拡大断面図である図１０に示すように、上端が円錐形状の位置調整用治具Ｔを、本体ベース１の凹部１ｆに挿入し、ベース１ごとホルダ５の位置を調整し、対物レンズＯＢＪの光軸が所定位置に来るようにする。さらに、対物レンズの高さと初期チルトについても調整するが、段差部１ｅとフランジ部ＣＹｇの間に設計時に隙間を設けておくことで、段差部１ｅとフランジ部ＣＹｇが干渉することなく、ベース１ごとホルダ５の高さ及び傾きを調整し、対物レンズＯＢＪの高さと初期チルトを合わせることができる。そして、ベース１をキャリヤＣＹに接着もしくはねじ止めすることで、アクチュエータＡＣＴをキャリヤＣＹに取り付けできる。
【００２７】
ここで、図３に示すように、対物レンズＯＢＪの光軸方向に見たときに、アクチュエータＡＣＴのホルダ５の一部が、ベース１の段差部１ｅと重合する位置に配置されているので、厚さ方向（図１で上下方向）における光ピックアップ装置ＰＵの寸法を抑えつつ、メインレールＭＲとサブレールＳＲとに挟まれたアクチュエータＡＣＴの寸法（図９で上下方向）を小さく抑えることができる。更に、支持部１ｃ、１ｄ、段差部１ｅの３点でベース１が支持されるので、治具や接着剤を用いずに、アクチュエータＡＣＴを安定した状態でキャリヤＣＹに仮配置することが可能であるので、取扱いが容易という利点がある。
【００２８】
又、ベース１を、キャリヤＣＹの開口ＣＹｄに装着した状態で、支持部１ｃ、１ｄの先端は、開口ＣＹｄの側面に対して隙間Δ（図３）だけ離隔しているので、この隙間Δを利用して、アクチュエータＡＣＴの位置を開口ＣＹｄ内で微調整することができる。このとき、支持部１ｃ、１ｄは、対物レンズＯＢＪより離れたベース１の端部側に形成されており、調整で支点となるベース下面の凹部１ｆは対物レンズＯＢＪに近いので、ここで位置調整を行っても、対物レンズＯＢＪの位置に影響を及ぼす恐れは少ない。
【００２９】
ところで、アクチュエータのフォーカシング動作により、ホルダをべース方向に駆動すると、半田固定部やワイヤといった導電部がべースに近づくが、この導電部がべースと接触すると、電気的な短絡という不具合が生じてしまうため、それは避けなくてはならない。導電部がべースには接触しない設計であっても、例えば、半田固定時に半田の量が多すぎたり、尖った形状になったりして、半田が出っ張ってしまい、ベースに接触してしまうことも考えられるため、特に薄型のアクチュエータでは、この箇所がホルダの駆動範囲の制限になってしまうことがある。そこで本実施の形態においては、ベース１には、ホルダ５側の面に凹部１ｔを設け、その凹部１ｔを、ホルダ５を最大移動量駆動しても導電部とべースには十分な間隔があくような形状とすることで、導電部とべース１との接触を防止することができ、アクチュエータＡＣＴの寸法を小さく抑えながらホルダ５の駆動範囲を広げることができる。
【００３０】
更に図１において、駆動装置ＤＲの圧電素子ＰＺは、対物レンズＯＢＪの光軸を含み、且つ立ち上げミラーＭへの入射光束の軸線に直交する面で光ピックアップ装置ＰＵを分断したときに、アクチュエータＡＣＴ側に配置されている。又、圧電素子ＰＺは、対物レンズＯＢＪの光軸と、立ち上げミラーＭへの入射光束の軸線とを含む面で光ピックアップ装置ＰＵを分断したときに、光ディスクの回転軸線Ｘとは反対側に配置されている。光ピックアップ装置ＰＵの厚さ（回転軸線Ｘに沿った方向の厚さを言う）は１０ｍｍ以下である。
【００３１】
図示していない第１の光ディスク（例えばＢＤ又はＨＤ ＤＶＤ）に対して情報の記録及び／又は再生を行う場合、図１の光ピックアップ装置ＰＵにおいて、光源波長３５０〜４５０ｎｍの半導体レーザＬＤ１（第１の光源）から出射された光束は、ダイクロイックプリズムＤＰで反射され、偏光ビームスプリッタＰＢＳを通過して、λ／４波長板ＱＷＰを通過し、エキスパンダーレンズＥＸＰのレンズＬ１を通過し、駆動装置ＤＲにより第１の位置に移動させられたレンズＬ２を通過して略平行光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００３２】
立ち上げミラーＭに入射した光束は、そこで反射され、対物レンズＯＢＪに入射して、ここから第１の光ディスクの情報記録面（保護層の厚さ０．１ｍｍ又は０．６ｍｍ）に集光される。
【００３３】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、プリズムＰＳ内を反射されて、光検出器ＰＤの受光面に集光される。この光検出器ＰＤの出力信号を用いて、第１の光ディスクに情報記録された情報の読み取り信号が得られる。
【００３４】
また、光検出器ＰＤ上でのスポットの形状変化、位置変化による光量変化を検出して、合焦検出やトラック検出を行う。この検出に基づいてアクチュエータＡＣＴにより対物レンズのフォーカシングアクチュエータ、トラッキングアクチュエータ、チルト調整動作が行われる。
【００３５】
アクチュエータＡＣＴの具体的な動作について説明する。図５において、ワイヤ４を介して給電されたとき、外側コイル１３Ａ、１３Ｂには、同じ電流値で同じ方向（ここでは時計回り）に電流が流れ、磁界の向きは矢印Ｄ１の向きであるため、フレミングの左手の法則により、外側コイル１３Ａには、図で上方に向かう磁力が生じ、外側コイル１３Ｂには、図で上方に向かう磁力が生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００３６】
一方、内側コイル１２Ａには、時計回りの方向に電流を流し、内側コイル１２Ｂには、反時計回りの方向に電流を流すと、フレミングの左手の法則により、内側コイル１２Ａには、図で上方に向かう磁力が生じ、内側コイル１２Ｂには、図で下方に向かう磁力が生じる。従ってホルダ５には、その中心軸線回りにモーメントが作用することとなる。かかるモーメントを用いて、ホルダ５を傾けることで、対物レンズ６のチルト調整を行うことができる。なお、磁石間の磁界の向きを矢印Ｄ２の向きとして、内側コイル１２Ａ、１２Ｂの電流の流れる方向を同じ時計回りにし、外側コイル１３Ａ、１３Ｂの電流の流れる方向を異ならせる磁気回路の構成としても良い。
【００３７】
更に、トラッキングコイル１１Ａ、１１Ｂに電流を流すことで、ホルダ５を対物レンズ６と共に、光軸に直交する方向に移動可能となっており、それによりトラッキング動作を行うことができる。
【００３８】
また、第１の光ディスクの保護層の厚さのばらつきに応じて、あるいは多層ディスクへの情報記録及び／又は再生時の層間移動時に、駆動装置ＤＲによりレンズＬ２の位置を微調整することで、情報記録面の集光スポットの球面収差を補正することができ、より良好な情報の記録及び／又は再生を行うことが可能である。
【００３９】
図示していない第２の光ディスク（例えばＤＶＤ）に対して情報の記録及び／又は再生を行う場合、図１の光ピックアップ装置ＰＵにおいて、光源波長６００〜７００ｎｍの半導体レーザ（第２の光源）から出射された光束は、２レーザ１パッケージ２Ｌ１Ｐから出射され、カップリングレンズＣＬを通過することで発散角を変更され、ダイクロイックプリズムＤＰと、偏光ビームスプリッタＰＢＳを通過して、λ／４波長板ＱＷＰを通過し、エキスパンダーレンズＥＸＰのレンズＬ１を通過し、駆動装置ＤＲにより第２の位置に移動させられたレンズＬ２を通過して略平行光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００４０】
立ち上げミラーＭに入射した光束は、そこで反射され、対物レンズＯＢＪに入射して、ここから第２の光ディスクの情報記録面（保護層の厚さ０．６ｍｍ）に集光される。
【００４１】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、プリズムＰＳ内を反射されて、光検出器ＰＤの受光面に集光される。この光検出器ＰＤの出力信号を用いて、第２の光ディスクに情報記録された情報の読み取り信号が得られる。
【００４２】
また、光検出器ＰＤ上でのスポットの形状変化、位置変化による光量変化を検出して、合焦検出やトラック検出を行う。この検出に基づいてアクチュエータＡＣＴにより対物レンズのフォーカシングアクチュエータ、トラッキングアクチュエータ、チルト調整動作が行われる。
【００４３】
また、第２の光ディスクの保護層の厚さのばらつきに応じて、あるいは多層ディスクへの情報記録及び／又は再生時の層間移動時に、駆動装置ＤＲによりレンズＬ２の位置を微調整することで、情報記録面の集光スポットの球面収差を補正することができ、より良好な情報の記録及び／又は再生を行うことが可能である。
【００４４】
図示していない第３の光ディスク（例えばＣＤ）に対して情報の記録及び／又は再生を行う場合、図１の光ピックアップ装置ＰＵにおいて、光源波長７００〜８００ｎｍの半導体レーザ（第３の光源）から出射された光束は、２レーザ１パッケージ２Ｌ１Ｐから出射され、カップリングレンズＣＬを通過することで発散角を変更され、ダイクロイックプリズムＤＰと、偏光ビームスプリッタＰＢＳを通過して、λ／４波長板ＱＷＰを通過し、エキスパンダーレンズＥＸＰのレンズＬ１を通過し、駆動装置ＤＲにより第３の位置に移動させられたレンズＬ２を通過して有限発散光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００４５】
立ち上げミラーＭに入射した光束は、そこで反射され、対物レンズＯＢＪに入射して、ここから第３の光ディスクの情報記録面（保護層の厚さ１．２ｍｍ）に集光される。
【００４６】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、プリズムＰＳ内を反射されて、光検出器ＰＤの受光面に集光される。この光検出器ＰＤの出力信号を用いて、第３の光ディスクに情報記録された情報の読み取り信号が得られる。
【００４７】
また、光検出器ＰＤ上でのスポットの形状変化、位置変化による光量変化を検出して、合焦検出やトラック検出を行う。この検出に基づいてアクチュエータＡＣＴにより対物レンズのフォーカシングアクチュエータ、トラッキングアクチュエータ、チルト調整動作が行われる。
【００４８】
本実施の形態によれば、駆動装置ＤＲの圧電素子ＰＺは、対物レンズＯＢＪの光軸を含み、且つ立ち上げミラーＭへの入射光束の軸線に直交する面で光ピックアップ装置ＰＵを分断したときに、アクチュエータＡＣＴ側に配置されているので、対物レンズＯＢＪとレーザ光源ＬＤ１又は２Ｌ１Ｐとの間にある光学素子を、圧電素子ＰＺから離すことができ、部材間の隙間を減少させた場合でも、熱の影響が及ばないようにできる。又、圧電素子ＰＺは、対物レンズＯＢＪの光軸と、立ち上げミラーＭへの入射光束の軸線とを含む面で光ピックアップ装置ＰＵを分断したときに、光ディスクの回転軸線Ｘとは反対側に配置されているので、光ディスクを回転させるスピンドルモータＳＭとの干渉を回避でき、光ピックアップ装置における光ディスクの回転軸中心方向へのアクセス可能な範囲を広げることができる。
【００４９】
図１１は、本実施の形態の変形例にかかるベースの断面図である。図１１において、ベース１の段差部１ｅの下面に、円錐形状の凹部１ｆが形成されている。一方、キャリヤＣＹのフランジ部ＣＹｇには、上端が半球状の凸部ＣＹｈが形成されている。凹部１ｆに凸部ＣＹｈを係合させれば、ベース１上に対して支持されたホルダ５を所定位置に配置することができる。この場合、段差部１ｅと対物レンズＯＢＪとを近づけることで、対物レンズＯＢＪの初期チルト調整をしたときの、対物レンズＯＢＪの光軸の移動量を小さく抑えることができるので好ましい。
【００５０】
以上、本発明を実施の形態を参照して説明してきたが、本発明は上記実施の形態に限定して解釈されるべきではなく、適宜変更・改良が可能であることはもちろんである。例えば、ベースに凹部を形成し、段差部に凸部を形成しても良い。
【図面の簡単な説明】
【００５１】
【図１】本実施の形態にかかる光ピックアップ装置の上方斜視図である。
【図２】本実施の形態にかかる光ピックアップ装置の下方斜視図である。
【図３】本実施の形態にかかる光ピックアップ装置の上面図である。
【図４】本実施の形態の駆動装置ＤＲの概略構成図である。
【図５】複数の圧電セラミックスＰＥを積み重ねてその間に電極Ｃを並列接続した構造の積層型圧電アクチュエータＰＺを示す斜視図である。
【図６】圧電アクチュエータＰＺに印加される電圧パルスの波形を示す図である。
【図７】変形例にかかる駆動装置ＤＲの概略構成図である。
【図８】本実施の形態にかかるアクチュエータＡＣＴの斜視図である。
【図９】ベース１の斜視図である。
【図１０】ベース１の段差部１ｅの周辺を示す断面図であり、周辺のアクチュエータの組み付け時の状態を示している。
【図１１】本実施の形態の変形例にかかるベースの断面図である。
【符号の説明】
【００５２】
１ ベース
１ｃ 支持部
１ｄ 支持部
１ｅ 段差部
１ｆ 凹部
１ｔ 凹部
２ 筐体
２Ｌ１Ｐ ２レーザ１パッケージ
３ ベース基板
４ ワイヤ
５ ホルダ
５ａ 矩形開口
５ｂ 矩形開口
５ｃ バランサ
５ｄ 柱部
５ｅ 柱部
５ｆ 柱部
６ 対物レンズ
７Ａ ヨーク
７Ｂ ヨーク
８Ａ ヨーク
８Ｂ ヨーク
９Ａ 磁石
９Ｂ 磁石
１０Ａ 磁石
１０Ｂ 磁石
１１Ａ トラッキングコイル
１１Ｂ トラッキングコイル
１２Ａ 内側コイル
１２Ｂ 内側コイル
１３Ａ 外側コイル
１３Ｂ 外側コイル
１４ ホルダ基板
１５Ａ 保持体
１５Ｂ 保持体
ＡＣＴ アクチュエータ
ＡＭ 調整部材
Ｃ 電極
ＣＬ カップリングレンズ
ＣＹ キャリヤ
ＣＹａ、ＣＹｂ  係合部
ＣＹｄ  開口
ＣＹｅ、ＣＹｆ、ＣＹｇ  フランジ部
ＣＹｈ  凸部
Ｄ１，Ｄ２  磁界の向き
ＤＰ ダイクロイックプリズム
ＤＲ 駆動装置
ＤＳ 駆動軸
ＥＨ ホルダ
ＥＨａ 開口
ＥＸＰ エキスパンダーレンズ
ＦＸ 固定部
Ｇ１ 第１コイル群
Ｇ２ 第２コイル群
Ｌ１ レンズ
Ｌ２ レンズ
ＬＤ１ 半導体レーザ
ＳＭ スピンドルモータ
ＳＲ  サブレール
Ｍ ミラー
ＭＤ モニタディテクタ
ＭＬ モニタレンズ
ＭＲ  メインレール
ＯＢＪ 対物レンズ
ＰＢＳ 偏光ビームスプリッタ
ＰＤ 光検出器
ＰＥ 圧電セラミックス
ＰＳ プリズム
ＰＵ 光ピックアップ装置
ＰＺ 圧電素子
ＱＷＰ λ／４波長板
ＳＬ サーボレンズ
ＳＰＧ  板ばね
Ｔ  位置調整用治具
Ｘ 回転軸線
【図１】
2007200488.tif 000003
【図２】
2007200488.tif 000004
【図３】
2007200488.tif 000005
【図４】
2007200488.tif 000006
【図５】
2007200488.tif 000007
【図６】
2007200488.tif 000008
【図７】
2007200488.tif 000009
【図８】
2007200488.tif 000010
【図９】
2007200488.tif 000011
【図１０】
2007200488.tif 000012
【図１１】
2007200488.tif 000013